(57)【要約】【課題】枠体フレームの側部に取り付けられる側面シートの取替作業を容易にすると共に、設置場所における様々な用途に応じて宣伝効果又は意匠効果を発揮することができる行燈型ディスプレイ装置を提供する。【解決手段】角柱体の枠組みを形成する枠体フレーム１０と、枠体フレーム１０の下部に取り付けられた連結用側壁板２０の上方領域において枠体フレーム１０の側部に着脱自在に取り付けられる側面シート６０と、枠体フレーム１０内の下部に取り付けられる基台４０と、基台４０上に設置される光源５０とを備えた。【選択図】図２
0003121837.tif 000002
【実用新案登録請求の範囲】
【請求項１】
角柱体の枠組みを形成する枠体フレームと、前記枠体フレームの下部に取り付けられた連結用側壁板の上方領域において当該枠体フレームの側部に着脱自在に取り付けられる側面シートと、前記枠体フレーム内の下部に取り付けられる基台と、前記基台上に設置される光源とを備えたことを特徴とする行燈型ディスプレイ装置。
【請求項２】
前記枠体フレームの側部の対向面に前記側面シートの両側縁部が上方から摺動させて差し込まれる一対のスライド溝部を形成し、前記側面シートの取替作業を容易にしたことを特徴とする請求項１に記載の行燈型ディスプレイ装置。
【請求項３】
前記枠体フレームの下部に取り付けられた連結用側壁板の内側面に前記基台が当該枠体フレーム内に着脱自在に取り付けられる一対のガイド部を形成し、前記基台の取付作業を容易にしたことを特徴とする請求項１又は請求項２に記載の行燈型ディスプレイ装置。
【請求項４】
前記側面シートは透光性を有する材質から構成され、前記側面シートの表面に任意の文字・記号・図形を表わし又は任意のデザインによる装飾を施すことにより宣伝効果又は意匠効果を発揮せしめることを特徴とする請求項１乃至請求項３に記載の行燈型ディスプレイ装置。
【考案の詳細な説明】
【技術分野】
【０００１】
本考案は、枠体フレームの側部に取り付けられる側面シートの取替作業を容易にすると共に設置場所における様々な用途に応じて宣伝効果又は意匠効果を発揮することができる行燈型ディスプレイ装置に関するものである。
【背景技術】
【０００２】
行燈とは燃料に菜種油を使った江戸時代を代表する住宅用照明器具であって、価格が安い石油ランプか普及するまでは、住宅の照明として一般的なものであった。照明器具として使用される行燈の構造は、火が消えないように紙を貼った木や竹、銅線の枠の中に火皿を置いたものであり、この火皿に油を入れ油から少し灯芯を出して火をつけて使用していた。現在では同じ構造で油の代わりに電球を使用した行燈が使用されている。
【０００３】
ところで、行燈に関する先行技術としては、以下の発明又は考案が開示されている。
【０００４】
特開平８−８３５０４号公報には、支持部材を基台に取り付け易くすることができるとともに、嵌合穴の寸法が変化しても支持部材をがたつくことなく基台に取り付けることができる行灯が開示されている（特許文献１）。
【０００５】
特開平８−２１２８０８号公報には、支持部材を適正な位置に位置決めすることができる行灯が開示されている（特許文献２）。
【０００６】
実用新案登録第３１０４９３６号公報には、火袋保持台盤への火袋保持支柱及び脚柱の取付けを容易且つ確実にすると共に、火袋保持支柱手提げ枠体を安定した状態に装着する行灯が開示されている（特許文献３）。
【０００７】
しかし、上記発明又は考案は、支持部材の取り付け構造に関する改良等であって、枠体フレームの側部に取り付けられる側面シートの取替作業を容易にすることを目的としていない。
【０００８】
【特許文献１】特開平８−８３５０４号公報
【特許文献２】特開平８−２１２８０８号公報
【特許文献３】実用新案登録第３１０４９３６号公報
【考案の開示】
【考案が解決しようとする課題】
【０００９】
そこで、本考案は、従来の行燈をディスプレイとして広く利用できるように独自の改良を加えて、枠体フレームの側部に取り付けられる側面シートの取替作業を容易にすると共に、設置場所における様々な用途に応じて宣伝効果又は意匠効果を発揮することができる行燈型ディスプレイ装置を提供することを目的とする。
【課題を解決するための手段】
【００１０】
上記課題を解決するために、請求項１に記載の考案は、角柱体の枠組みを形成する枠体フレームと、前記枠体フレームの下部に取り付けられた連結用側壁板の上方領域において当該枠体フレームの側部に着脱自在に取り付けられる側面シートと、前記枠体フレーム内の下部に取り付けられる基台と、前記基台上に設置される光源とを備えた構成を採用したのである。
【００１１】
また、請求項２に記載の考案は、請求項１に記載の前記枠体フレームの側部の対向面に前記側面シートの両側縁部が上方から摺動させて差し込まれる一対のスライド溝部を形成したのである。これにより、前記側面シートの取替作業が容易になる。
【００１２】
また、請求項３に記載の考案は、請求項１又は請求項２に記載の前記枠体フレームの下部に取り付けられた連結用側壁板の内側面に前記基台が当該枠体フレーム内に着脱自在に取り付けられる一対のガイド部を形成したのである。これにより、前記基台の取付作業が容易になる。
【００１３】
また、請求項４に記載の考案は、請求項１乃至請求項３に記載の前記側面シートは透光性を有する材質から構成され、前記側面シートの表面に任意の文字・記号・図形を表わし又は任意のデザインによる装飾を施すことにより宣伝効果又は意匠効果を発揮せしめることを特徴とする。これにより、設置場所における様々な用途に応じて宣伝効果又は意匠効果を発揮することができる
【考案の効果】
【００１４】
以上のように、本考案によれば、枠体フレームの側部に着脱自在に取り付けられる側面シートを備えたことにより、側面シートの取替作業が容易になり行燈をディスプレイとして広く利用することが可能になった。さらに側面シートの表面に任意の文字・記号・図形を表わし又は任意のデザインによる装飾を施すことにより宣伝効果又は意匠効果を発揮し、従来の行燈とは異なりデザイン性を高めることが可能になった。
【考案を実施するための最良の形態】
【００１５】
以下、本考案の実施の一形態について、図１乃至図４に基づいて説明する。この実施形態で示す行燈型ディスプレイ装置は、室内などに設置してディスプレイ用として使用されるものである。図１は本考案の行燈型ディスプレイ装置の一実施形態において側面シートを除いた構造部分を示す斜視図である。図２は、前記行燈型ディスプレイ装置に側面シートを取り付ける状態を示す斜視図である。図３は、前記行燈型ディスプレイ装置に光源を設置した基台を取り付ける手順を示す説明図である。図４は、前記行燈型ディスプレイ装置の外観の一例を示す説明図である。
【００１６】
行燈型ディスプレイ装置Ａ（図４参照）は、図１及び図２に示すように、縦長な直方体の枠組みを形成する４本の枠体フレーム１０と、枠体フレーム１０の下部に取り付けられる４枚の連結用側壁板２０と、枠体フレーム１０の上部に着脱自在に取り付けられる４本の上部連結部材３０と、連結用側壁板２０と上部連結部材３０との間に着脱自在に取り付けられる４枚の側面シート６０と、枠体フレーム１０内の下部に着脱自在に取り付けられる１個の基台４０と、基台４０上に設置される１個の光源５０とから構成される。
【００１７】
本考案の行燈型ディスプレイ装置の形状は、上述したような四角柱形状に限定されるものではなく、三角柱形状、五角柱形状、六角柱形状その他の角柱形状に適宜変更してもよい。また、枠組みを形成する枠体フレーム１０、連結用側壁板２０、上部連結部材３０の材質については、木、金属、プラスチックなどから適宜選択し採用することができる。
【００１８】
光源５０は、照明ランプとしての機能を備えたものであれば種類、大きさ、形状等は限定されるものではない。なお、光源５０について省エネルギータイプの発光体に電源を内蔵させたものを採用した場合、行燈型ディスプレイ装置の設置場所の制限が無くなり電気配線なども省略することができる。
【００１９】
枠体フレーム１０の側部の対向面には、図１及び図２に示すように、縦方向に沿って側面シート６０を上方から摺動させて差し込むスライド溝部１１が形成されている。また、連結用側壁板２０の上面には、枠体フレーム１０のスライド溝部１１と連続する溝部２１が形成されており、その溝部２１に側面シート６０の下側縁部が当接する。また、スライド溝部１１の上端部に上部連結部材３０が着脱自在に取り付けられ且つ側面シート６０の上側で保持されるように、スライド溝部１１の溝幅がその下側部分と比較してやや広く形成される。なお、上部連結部材３０は、本実施例で説明するものに限定されるものではなく、省略することもできる。
【００２０】
側面シート６０は、枠体フレーム１０の間の長方形状を呈する空間内に収まる形状（例えば、葉書サイズなど）に形成されている。図２に示すように、４枚の側面シート６０は、それぞれ枠体フレーム１０の側部のスライド溝部１１内に上方から差し込まれ、側面シート６０の両側縁部がスライド溝部１１内に保持されると共に側面シート６０の下側縁部が溝部２１内に保持される。このように、側面シート６０は、枠体フレーム１０の側部に着脱自在に取り付けられる。これにより、側面シート６０の取替作業が容易になり行燈をディスプレイとして広く利用することができる。
【００２１】
側面シート６０は、透光性を有する材質から構成される。側面シート６０の具体的な材質については、光源５０の明るさを外部から認識でき行燈としての雰囲気を醸し出すのに適当な紙、ガラス、プラスチックなどが好ましい。側面シート６０の形状については、上述したような葉書サイズが適しているが、これに限定されるものではなく、枠体フレーム１０の間の長方形状を呈する空間内に収まるものであれば任意の大きさを採用することができる。
【００２２】
側面シート６０の表面には、４枚のシートにそれぞれ任意の文字・記号・図形が表わされ又は任意のデザインによる装飾が施される（図４（ａ）（ｂ）参照）。また、デジタルカメラで撮影した好みの写真を印刷してもよい。これらのデザインなどは、設置場所における様々な目的（会社の宣伝広告、メニューなど）に応じて適宜変更することができる。
【００２３】
また、例えば、側面シート６０の材質が和紙であり、その表面にインクジェットプリントによる様々な装飾を施した側面シート６０を製作し、インテリアなどとして室内に設置すると周囲に和やかな雰囲気を与えることができる。ここで、和紙に鮮明なインクジェットプリントを行うためには、発色性を高めてにじみを防止する前処理を施すことが好ましい。このような前処理に使用するインク固着剤としては、例えば、メディアボックス株式会社が製造販売している「Ａｒｔｋｅｅｐ／アートキープ」（商標）が挙げられる。
【００２４】
枠体フレーム１０の下部に取り付けられた連結用側壁板２０の内側面には、図３に示すように、一対のガイド部２２が形成されている。一方、光源５０を設置した基台４０の両側部には一対の突起４１が形成されており、この突起４１を連結用側壁板２０のガイド部２２に沿って移動させて略中央位置で係止させる（図３（ｃ）参照）。これにより、基台４０の取付作業が容易になり行燈型ディスプレイ装置Ａの組立の手間を省くことができる。
【図面の簡単な説明】
【００２５】
【図１】本考案の行燈型ディスプレイ装置の一実施形態において側面シートを除いた構造部分を示す斜視図である。
【図２】図１に示す行燈型ディスプレイ装置に側面シートを取り付ける状態を示す斜視図である。
【図３】図１に示す行燈型ディスプレイ装置に光源を設置した基台を取り付ける手順を示す説明図である。
【図４】図１に示す行燈型ディスプレイ装置の外観の一例を示す説明図である。
【符号の説明】
【００２６】
Ａ  行燈型ディスプレイ装置
１０  枠体フレーム
１１  スライド溝部
２０  連結用側壁板
２１  溝部
２２  ガイド部
３０  上部連結部材
４０  基台
４１  突起
５０  光源
６０  側面シート
【図１】
0003121837.tif 000003
【図２】
0003121837.tif 000004
【図３】
0003121837.tif 000005
【図４】
0003121837.tif 000006
【手続補正書】
【提出日】平成18年3月3日(2006.3.3)
【手続補正１】
【補正対象書類名】実用新案登録請求の範囲
【補正対象項目名】請求項４
【補正方法】変更
【補正の内容】
【請求項４】
前記側面シートは透光性を有する材質から構成され、前記側面シートの表面に任意の文字・記号・図形を表わし又は任意のデザインによる装飾を施すことにより宣伝効果又は意匠効果を発揮せしめることを特徴とする請求項１乃至請求項３のいずれか一項に記載の行燈型ディスプレイ装置。